【手続補正書】
【提出日】平成18年5月12日(2006.5.12)
【手続補正１】
【補正対象書類名】特許請求の範囲
【補正対象項目名】全文
【補正方法】変更
【補正の内容】
【特許請求の範囲】
【請求項１】
コンピュータ読み取り可能な媒体に格納されたデジタル持参人払い式証券を備えるコンピュータプログラム製品であって、
前記デジタル持参人払い式証券は、タイトル対応プロセスに前記デジタル持参人払い式証券を提示することにより引き出し可能な少なくとも１つの権利を表すタイトルデータを含み、
前記タイトルデータは、前記少なくとも１つの権利に関連付けられた少なくとも１つのリソースを特定し、
前記少なくとも１つのリソースは、前記タイトル対応プロセスが前記少なくとも１つの権利の引き出しを容易にする方法を少なくとも部分的に決定する、
コンピュータプログラム製品。
【請求項２】
請求項１記載のコンピュータプログラム製品であって、
前記タイトルデータは、前記リソースに関連付けられたアドレスを示すアドレスポインタを用いて前記リソースを特定する、コンピュータプログラム製品。
【請求項３】
請求項１記載のコンピュータプログラム製品であって、
前記リソースは、前記デジタル持参人払い式証券に埋め込まれたコードまたはコンテンツを備える、コンピュータプログラム製品。
【請求項４】
請求項１記載のコンピュータプログラム製品であって、
前記タイトルデータの一部は、前記デジタル持参人払い式証券が、コピー可能であること、自由に移転可能であること、コピー不可能であること、自由に移転不可能であること、および、指定されたエンティティのみによって利用可能であること、の少なくとも１つを保証するために、タイトルプロトコルによって利用可能である、コンピュータプログラム製品。
【請求項５】
請求項１記載のコンピュータプログラム製品であって、
前記タイトルデータは、さらに、前記デジタル持参人払い式証券の所有者を表す所有者データを備え、
前記所有者データは、前記少なくとも１つの権利の引き出しを前記デジタル持参人払い式証券の前記所有者に限定するために、前記タイトル対応プロセスによって利用可能である、
コンピュータプログラム製品。
【請求項６】
請求項１記載のコンピュータプログラム製品であって、
前記タイトルデータは、さらに、デジタル署名が前記デジタル持参人払い式証券に関連付けられたエンティティを特定する署名データを備え、
前記署名データは、前記デジタル持参人払い式証券の信頼性を検証するために、前記タイトル対応プロセスによって利用可能である、
コンピュータプログラム製品。
【請求項７】
請求項１記載のコンピュータプログラム製品であって、
前記デジタル持参人払い式証券は、さらに、外部に格納された状態に対応する状態情報を含み、
前記デジタル持参人払い式証券の妥当性が、前記状態情報と前記外部に格納された状態との比較によって判定され、前記デジタル持参人払い式証券の前記状態情報が、前記デジタル持参人払い式証券に関与する前記ネットワークにおける各取引を反映するよう変化する機能を有する、
コンピュータプログラム製品。
【請求項８】
請求項７記載のコンピュータプログラム製品であって、
前記状態情報は、少なくとも１つのスタブオブジェクト内にコード化され、
前記少なくとも１つのスタブオブジェクトは、前記外部に格納された状態を格納された状態によって関連付けられた関連状態プロセスを有する発行者に対応する、コンピュータプログラム製品。
【請求項９】
請求項７記載のコンピュータプログラム製品であって、
前記状態情報は、連鎖ハッシュおよび乱数のうちの少なくとも１つを含む、
コンピュータプログラム製品。
【請求項１０】
コンピュータ読み取り可能な媒体に格納されたデジタル持参人払い式証券を備えるコンピュータプログラム製品であって、
前記デジタル持参人払い式証券は、少なくとも１つのタイトル対応プロセスに前記デジタル持参人払い式証券を提示することにより引き出し可能な複数の権利を表すタイトルデータを含み、
前記タイトルデータは、前記デジタル持参人払い式証券の中の前記複数の権利を列挙する、
コンピュータプログラム製品。
【請求項１１】
請求項１０記載のコンピュータプログラム製品であって、
前記タイトルデータは、さらに、前記複数の権利に関連付けられた少なくとも１つのリソースを特定し、
前記少なくとも１つのリソースは、前記タイトル対応プロセスが前記複数の権利の引き出しを容易にする方法を決定する、
コンピュータプログラム製品。
【請求項１２】
請求項１１記載のコンピュータプログラム製品であって、
前記タイトルデータは、前記少なくとも１つのリソースに関連付けられたアドレスを示すアドレスポインタを用いて前記少なくとも１つのリソースを特定する、コンピュータプログラム製品。
【請求項１３】
請求項１１記載のコンピュータプログラム製品であって、
前記少なくとも１つのリソースは、前記デジタル持参人払い式証券に埋め込まれたコードまたはコンテンツを備える、コンピュータプログラム製品。
【請求項１４】
請求項１０記載のコンピュータプログラム製品であって、
前記タイトルデータの一部は、前記デジタル持参人払い式証券が、コピー可能であること、自由に移転可能であること、コピー不可能であること、自由に移転不可能であること、および、指定されたエンティティのみによって利用可能であること、の少なくとも１つを保証するために、タイトルプロトコルによって利用可能である、コンピュータプログラム製品。
【請求項１５】
請求項１０記載のコンピュータプログラム製品であって、
前記タイトルデータは、さらに、前記デジタル持参人払い式証券の所有者を表す所有者データを備え、
前記所有者データは、前記複数の権利の引き出しを前記デジタル持参人払い式証券の前記所有者に限定するために、前記タイトル対応プロセスによって利用可能である、
コンピュータプログラム製品。
【請求項１６】
請求項１０記載のコンピュータプログラム製品であって、
前記タイトルデータは、さらに、デジタル署名が前記デジタル持参人払い式証券に関連付けられたエンティティを特定する署名データを備え、
前記署名データは、前記デジタル持参人払い式証券の信頼性を検証するために、前記タイトル対応プロセスによって利用可能である、
コンピュータプログラム製品。
【請求項１７】
請求項１０記載のコンピュータプログラム製品であって、
前記デジタル持参人払い式証券は、さらに、外部に格納された状態に対応する状態情報を含み、
前記デジタル持参人払い式証券の妥当性が、前記状態情報と前記外部に格納された状態との比較によって判定され、前記デジタル持参人払い式証券の前記状態情報が、前記デジタル持参人払い式証券に関与する各取引を反映するよう変化する機能を有する、
コンピュータプログラム製品。
【請求項１８】
請求項１７記載のコンピュータプログラム製品であって、
前記状態情報は、連鎖ハッシュおよび乱数のうちの少なくとも１つを含む、コンピュータプログラム製品。
【請求項１９】
複数のエンティティの間の取引を容易にするためのシステムであって、
前記複数のエンティティと関連付けられた複数のタイトルオブジェクトを格納するための少なくとも１つのデータストアであって、各タイトルオブジェクトが前記システム内のタイトル対応プロセスに前記タイトルオブジェクトを提示することにより引き出し可能な少なくとも１つの権利を表すデジタル持参人払い式証券であると共に、前記タイトルオブジェクトのうち選択されたタイトルオブジェクトが状態情報を含む、データストアと、
前記エンティティの間での前記タイトルオブジェクトの移転を容易にして前記取引を実現するための少なくとも１つの装置と、
選択されたタイトルオブジェクトのそれぞれのためのエントリであって、前記エントリが前記対応する選択されたタイトルオブジェクトの状態情報に同期される際に、前記対応する選択されたタイトルオブジェクトの妥当性を示すエントリを含む状態プロセスと、
を備え、
選択されたタイトルオブジェクトのそれぞれに関連付けられた前記状態情報と、前記状態プロセスに関連付けられた前記対応するエントリとは、前記対応するタイトルオブジェクトに関与する前記ネットワークにおける各取引を反映するよう変化する機能を有する、
システム。
【請求項２０】
請求項１９記載のシステムであって、
選択されたタイトルオブジェクトそれぞれの前記状態情報は、連鎖ハッシュおよび乱数の一方を用いて表される、システム。
【請求項２１】
請求項１９記載のシステムであって、さらに、
前記複数のエンティティによる前記タイトルオブジェクトへのチャネル独立アクセスおよび装置独立アクセスを容易にする機能を有するタイトルマネージャを備える、システム。
【請求項２２】
請求項１９記載のシステムであって、さらに、
前記タイトルオブジェクトを生成し、前記選択されたタイトルオブジェクトそれぞれの前記状態情報の初期設定を行うタイトルパブリッシャを備える、システム。
【請求項２３】
請求項１９記載のシステムであって、さらに、
取引に関与する前記エンティティの中の選択されたエンティティから前記タイトルオブジェクトの中の第１のタイトルオブジェクトを受領し、前記第１のタイトルオブジェクトの中の特定の１つを受領後、前記選択されたエンティティのそれぞれに対して前記第１のタイトルオブジェクトを通知することにより前記取引を実現する機能を有するロックボックスプロセスを備える、システム。
【請求項２４】
ネットワーク内の複数のエンティティ間の取引を容易にするためにコンピュータによって実行される方法であって、
複数のタイトルオブジェクトを前記ネットワーク内に格納する工程であって、各タイトルオブジェクトが前記ネットワーク内のタイトル対応プロセスに前記タイトルオブジェクトを提示することにより引き出し可能な少なくとも１つの権利を表すデジタル持参人払い式証券であると共に、前記タイトルオブジェクトのうち選択されたタイトルオブジェクトが状態情報を含む、工程と、
前記タイトルオブジェクトの中の少なくとも１つを前記複数のエンティティのそれぞれと関連付ける工程と、
前記エンティティ間での前記タイトルオブジェクトの移転を容易にして、前記取引を実現する工程と、
選択されたタイトルオブジェクトのそれぞれのためのエントリであって、対応する前記選択されたタイトルオブジェクトの状態情報と同期した際に、対応する前記選択されたタイトルオブジェクトの妥当性を示すエントリを含む状態プロセスを維持する工程と、
選択されたタイトルオブジェクトのそれぞれに関連付けられた前記状態情報と、前記状態プロセスに関連付けられた前記対応するエントリとを変更して、前記選択されたタイトルオブジェクトに関与する前記ネットワーク内の各取引を反映する工程と、
を備える、方法。
【請求項２５】
請求項２４記載の方法であって、さらに、
前記複数のエンティティによる前記タイトルオブジェクトへのチャネル独立アクセスおよび装置独立アクセスを容易にする工程を備える、方法。
【請求項２６】
請求項２４記載の方法であって、さらに、
取引に関与する前記エンティティのうちの選択されたエンティティから前記タイトルオブジェクトの中の第１のタイトルオブジェクトを受領する工程と、
少なくとも１つの条件が満たされた後に、前記選択されたエンティティのそれぞれに対して前記第１のタイトルオブジェクトを通知することにより前記取引を実現する工程と、
を備える、方法。